(57)【特許請求の範囲】
【請求項１】
本体と、該本体に形成された表示手段と、前記本体に開閉可能に設けられ、閉じられたとき前記表示手段を覆う保護手段と、該保護手段の開方向を検出する開閉検出手段と、開方向別に割り当てられた動作モードを記憶する記憶手段と、前記開閉検出手段により検出された前記保護手段の開方向に基づいて該開方向に対応した動作モードを前記記憶手段から読み出して動作させ、前記動作モードに対応する情報を前記表示手段に表示するように制御する主制御手段と、前記動作モード別の使用回数を数えるカウンター手段とを備え、前記記憶手段は、前記カウンター手段によって数えられた使用回数の多い順である使用順位に基づいて、前記保護手段の開方向に対応付けた複数の動作モードを記憶する構成としてあることを特徴とする携帯情報端末装置。
【請求項２】
前記主制御手段は、前記カウンター手段による動作モードの使用回数のカウント値が設定回数以上になると、前記保護手段の開方向がいずれであっても前記設定回数となった動作モードに固定して起動する構成としてあることを特徴とする請求項１に記載の携帯情報端末装置。
【請求項３】
前記本体は、前記保護手段が前記表示手段を覆うように閉じられたときの前記保護手段の四隅に位置する前記本体側の位置に４個のスイッチを備え、前記開閉検出手段は、前記４個のスイッチのうちのいずれか２個のスイッチがオン状態にあるかどうかで、前記保護手段が上下左右いずれの方向に開いたかを検出する構成としてあることを特徴とする請求項１または請求項２に記載の携帯情報端末装置。
【発明の詳細な説明】
【０００１】
【発明の属する技術分野】
本発明は、液晶表示装置（以下、「ＬＣＤ」という）で構成された表示器と、この表示器を保護する等の目的で設けられた保護手段としての蓋部とを有する携帯情報端末に関するものである。
【０００２】
【従来の技術】
従来の携帯情報端末装置の一例としては、特開平１１−２８４７００号公報に開示されている携帯端末がある。
【０００３】
この携帯端末は、携帯端末の本体に設けられた表示パネルと、表示パネルを保護するとともに閉状態でも表示パネルを外側から透視可能な窓を有する開閉自在な蓋と、複数の操作キーと、蓋が開状態になったことを検出する蓋開閉検出手段とを備えている。
【０００４】
そして、蓋の開閉により自動的に動作モードおよび表示方向を切り替えることにより、表示方向に基づく操作性の悪化を防止するといったものである。例えば、蓋開閉検出手段により蓋の開状態が検出されたときには、表示パネルの表示内容がメモモードに切り替えられ、かつ、表示パネルの表示方向が９０度回転した状態でメモモードの表示内容が表示される。
【０００５】
【発明が解決しようとする課題】
しかしながら、従来の携帯端末においては、操作方法に関して、ユーザ自身が頻繁に使用する動作モードを即座に表示させることができず、頻繁に使用する動作モードに対する操作性を向上させることができないといった問題があった。
【０００６】
本発明はこのような問題を解決すべく創案されたものであり、ユーザによる手動ではなく、蓋部の開閉操作に応じて携帯情報端末本体を自動的に電源ＯＮ・ＯＦＦ（オンまたはオフ）するとともに、ユーザの登録した動作モード（例えば頻繁に使用する動作モード等）を即座に表示させることにより、操作性を大幅に向上することができる携帯情報端末装置を提供することを目的としている。
【０００７】
【課題を解決するための手段】
本発明の携帯情報端末装置は、本体と、該本体に形成された表示手段と、前記本体に開閉可能に設けられ、閉じられたとき前記表示手段を覆う保護手段と、該保護手段の開方向を検出する開閉検出手段と、開方向別に割り当てられた動作モードを記憶する記憶手段と、前記開閉検出手段により検出された前記保護手段の開方向に基づいて該開方向に対応した動作モードを前記記憶手段から読み出して動作させ、前記動作モードに対応する情報を前記表示手段に表示するように制御する主制御手段と、前記動作モード別の使用回数を数えるカウンター手段とを備え、前記記憶手段は、前記カウンター手段によって数えられた使用回数の多い順である使用順位に基づいて、前記保護手段の開方向に対応付けた複数の動作モードを記憶する構成としてあることを特徴とする。
【０００８】
この発明によれば、ユーザの使い勝手に合わせて保護手段の開方向に応じた動作モードでの表示が可能となる。また、使用順位に基づいて、保護手段の開方向に対応付けた複数の動作モードを記憶することができる。
【００１３】
また、本発明の携帯情報端末装置では、前記主制御手段は、前記カウンター手段による動作モードの使用回数のカウント値が設定回数以上になると、前記保護手段の開方向がいずれであっても前記設定回数となった動作モードに固定して起動する構成としてあることを特徴とする。
【００１４】
この発明によれば、設定回数となった動作モードに固定して起動することができる。
【００１５】
また、本発明の携帯情報端末装置では、前記本体は、前記保護手段が前記表示手段を覆うように閉じられたときの前記保護手段の四隅に位置する前記本体側の位置に４個のスイッチを備え、前記開閉検出手段は、前記４個のスイッチのうちのいずれか２個のスイッチがオン状態にあるかどうかで、前記保護手段が上下左右いずれの方向に開いたかを検出する構成としてあることを特徴とする。
【００１６】
この発明によれば、４方向での開方向を検出することができる。
【００１７】
【発明の実施の形態】
次に、本発明の携帯情報端末装置の実施の形態について説明する。
【００１８】
［実施の形態１］
まず、本発明の携帯情報端末装置の実施の形態１について図面を参照しつつ説明する。
【００１９】
図１は本発明の携帯情報端末装置の実施の形態１を示すブロック図である。
【００２０】
この携帯情報端末装置は、文字や画像等からなる情報の表示を行う表示手段である表示部１と、表示部１を覆い隠し保護する開閉自在な保護手段である蓋部２と、蓋部２の開閉を検出する開閉検出手段である蓋開閉検出部３と、携帯情報端末本体の電源ＯＮ後、最初に表示部１に表示される情報の動作モード（以下、「オープニングモード」ともいう）を指定するためや、携帯情報端末装置の通常の操作を行うため等に使用される入力部４と、表示部１に表示される情報の内容によって区別された複数の動作モードを登録・記憶する記憶手段としての記憶部５と、選択された動作モードに基づく内容の情報を電源ＯＮ後に表示部１に表示させるための制御を含む、携帯情報端末装置全体の制御を行う主制御部６と、例えば充電池等で構成されており、携帯情報端末装置全体への電源供給を行う電源部７と、ユーザによって使用された動作モードの使用履歴として動作モード別に使用回数を集計するカウンター手段としてのカウンター部８とから構成されている。
【００２１】
次に、このような構成を有する携帯情報端末装置の動作例について、図２を用いて説明する。
【００２２】
図２は、図１に示す携帯情報端末装置の動作の一例を示すフローチャートである。
【００２３】
なお、本発明の携帯情報端末装置の特徴部分は蓋部２の開閉に伴い実施される動作を実行するための機構であるため、以下の動作例の説明においては、蓋部２の開閉に伴い実施される動作についてのみ詳細に説明を行い、その他の動作については「その他の処理（ステップＳ７）」という表現を用いて詳細な説明を省略する。
【００２４】
まず、ユーザが携帯情報端末装置の操作を開始すると、蓋部２を開いたか否かの判断が行われる（ステップＳ１）。
【００２５】
もし、ユーザが携帯情報端末装置の入力部４を用いて何らかの操作を行った後に、蓋部２を開けなかった場合には（ステップＳ１での判断結果がＮＯである場合には）、蓋開閉検出部３は、蓋部２が開状態になっていることを検出する。その結果、電源部７は表示部１へ電源を供給せず、主制御部６は処理を終了する。
【００２６】
一方、ユーザが携帯情報端末装置の入力部４を用いて何らかの操作を行った後に、蓋部２を開いた場合には、蓋開閉検出部３は蓋部２が開状態になっていることを検出する。この蓋開閉検出部３は、例えば、機械的または光学的に蓋部２の状態を検出し、蓋部２が開いているときにはＯＮ状態になり、蓋部２が閉まっているときにはＯＦＦ状態になるスイッチによって構成されている。
【００２７】
ステップＳ２以降の説明については、図３〜図９も参照しつつ説明を行う。
【００２８】
図３は、図１に示す携帯情報端末装置の外観を示す斜視図であり、図４は、図３に示す携帯情報端末装置の蓋部を拡大して示す斜視図である。
【００２９】
図４において、蓋部２は、表示部１を覆う保護部２１と、保護部２１の右側端部２ａおよび左側端部２ｂからそれぞれ垂下して設けられた第１支持部２２および第２支持部（図示せず）と、これら第１支持部２２の下端部および第２支持部の下端部それぞれに内側向きに設けられた第１突起部２３および第２突起部（第２支持部側の第２突起部は図示せず）とから構成されている。一方、携帯情報端末装置の本体（以下、装置本体という）１０の左右側面には、それぞれ長手方向に沿って溝部１０ａ（装置本体１０の左側面に形成された溝部は図示せず）が形成されている。
【００３０】
そして、蓋部２が装置本体１０上面に形成された表示部（図示せず）を覆い隠している状態では、第１支持部２２および第２支持部は装置本体１０の左右側面に当接しており、第１突起部２３および第２突起部は装置本体１０の左右側面に形成された溝部１０ａ（装置本体１０の左側面に形成された溝部は図示せず）にそれぞれ嵌り込んでいる。蓋部２は、この状態において、装置本体１０の長手方向にスライド移動可能となっている。
【００３１】
図３において、矢印Ｄ１〜Ｄ４は蓋部２の開方向を示している。矢印Ｄ１は、蓋部２が上方向にスライド移動することを示しており、矢印Ｄ２は、蓋部２が下方向にスライド移動することを示している。また、矢印Ｄ３は、蓋部２の左側端部２ｂを起こして開く（すなわち、第１支持部２２の第１突起部２３と溝部１０ａとの嵌合状態を維持した状態で、この第１突起部２３を回動軸芯として回動する）ことを示しており、矢印Ｄ４は、蓋部２の右側端部２ａを起こして開く（すなわち、第２支持部の第２突起部と溝部との嵌合状態を維持した状態で、この第２突起部を回動軸芯として回動する）ことを示している。
【００３２】
図５は、図３に示す携帯情報端末装置の蓋開閉検出部を示す正面図である。
【００３３】
この蓋開閉検出部３は、例えば、装置本体１０上面において、閉じた状態の蓋部２の四隅に当接する位置に設けられた４個のスイッチからなる。同図においては、左上隅に設けられたスイッチを第１スイッチ３ａとし、右上隅に設けられたスイッチを第２スイッチ３ｂとし、左下隅に設けられたスイッチを第３スイッチ３ｃとし、右下隅に設けられたスイッチを第４スイッチ３ｄとする。
【００３４】
図６は、図５に示す蓋開閉検出部３を拡大して示す側面図である。同図（ａ）にはＯＦＦ状態の第３スイッチ３ｃが示されており、同図（ｂ）にはＯＮ状態の第３スイッチ３ｃが示されている。
【００３５】
もし、蓋部２が閉じており第３スイッチ３ｃが蓋部２下面に当接している場合には、第３スイッチ３ｃが装置本体１０内に押し込まれる。このとき、第３スイッチ３ｃはＯＦＦ状態になっている。一方、蓋部２が開いている場合には、第３スイッチ３ｃは、例えばスプリング等によって、押し上げられ、装置本体１０から突出する。このとき、第３スイッチ３ｃはＯＮ状態になっている。
【００３６】
図７は、図３に示す蓋部２の開方向に対する動作モードを示す表であり、  図８は、図１に示す情報携帯端末装置を構成する表示部の表示内容の一例を蓋部の開方向別に示す説明図である。
【００３７】
図７に示す表は、ユーザによって予め登録され、記憶部５に記憶されているデータを示している。この表は、蓋部の開方向１１と、オープニングモード１２の各項目から構成されている。図７に示すように、例えば、蓋部２を矢印Ｄ１で示す方向に開いた場合には、オープニングモードは「通常モード」になる。図８（ａ）は、この通常モード時の表示内容の一例を示している。また、蓋部２を矢印Ｄ２で示す方向に開いた場合には、オープニングモードは「オリジナルモード−メールモード」になる。図８（ｂ）は、このメールモード時の表示内容の一例を示している。さらに、蓋部２を矢印Ｄ３で示す方向に開いた場合には、オープニングモードは「オリジナルモード−メモモード」になる。図８（ｃ）は、このメモモード時の表示内容の一例を示している。さらにまた、蓋部２を矢印Ｄ４で示す方向に開いた場合には、オープニングモードは「オリジナルモード−アドレス帳モード」になる。図８（ｄ）は、このアドレス帳モード時の表示内容の一例を示している。なお、「オリジナルモード」とは、ユーザによって設定され登録されたモードである。
【００３８】
図９は、図３に示す蓋部２の開方向および閉状態に対するスイッチのＯＮ・ＯＦＦ状態を示す表である。
【００３９】
この表は、蓋部の開方向１３と、先にＯＮするスイッチ１４と、実施されるオープニングモード１５の各項目から構成されている。
【００４０】
主制御部６は、この表に準じて、第１スイッチ３ａ、第２スイッチ３ｂ、第３スイッチ３ｃおよび第４スイッチ３ｄそれぞれのＯＮ・ＯＦＦ状態、即ち、蓋開閉検出部３の検出結果に基づきオープニングモードを決定し実施する。即ち、図９に示したように、例えば、蓋部２を矢印Ｄ１で示す方向に開いた場合には、第３スイッチ３ｃと第４スイッチ３ｄとが先にＯＮ状態になり、オープニングモードは「通常モード」になる。また、蓋部２を矢印Ｄ２で示す方向に開いた場合には、第１スイッチ３ａと第２スイッチ３ｂとが先にＯＮ状態になり、オープニングモードは「メールモード」になる。さらに、蓋部２を矢印Ｄ３で示す方向に開いた場合には、第１スイッチ３ａと第３スイッチ３ｃが先にＯＮ状態になり、オープニングモードは「メモモード」になる。さらにまた、蓋部２を矢印Ｄ４で示す方向に開いた場合には、第２スイッチ３ｂと第４スイッチ３ｄとが先にＯＮ状態になり、オープニングモードは「アドレス帳モード」になる。一方、蓋部２が閉じている場合には、第１スイッチ３ａ、第２スイッチ３ｂ、第３スイッチ３ｃおよび第４スイッチ３ｄがＯＦＦ状態になり、表示部１へは電源が供給されない（電源ＯＦＦ）。
【００４１】
図２のフローチャートに戻って、もし、蓋部２が閉じた状態になっているときに、ユーザが蓋部２を開いた場合には（ステップＳ１での判断結果がＹＥＳである場合には）、蓋部２が開いたことを蓋開閉検出部３にて検出する。そして、蓋部２が開いたことにより、蓋開閉検出部３を構成する第１スイッチ３ａ、第２スイッチ３ｂ、第３スイッチ３ｃおよび第４スイッチ３ｄのうちの少なくとも２個のスイッチがＯＮ状態になり、蓋開閉検出部３が主制御部６へ蓋部２が開状態になったとこを示す信号を出力し、その結果、電源ＯＮ処理が実施される（ステップＳ２）。
【００４２】
続いて、蓋開閉検出部３を構成する第１スイッチ３ａ、第２スイッチ３ｂ、第３スイッチ３ｃおよび第４スイッチ３ｄがどのような順序でＯＮ状態になったのか（蓋部２の開き方の検出結果）を基に、図９に従って、オープニングモードを決定する（ステップＳ３）。
【００４３】
さらに、決定したオープニングモードが通常モードであるか否かを判断する（ステップＳ４）。もし、通常モードである場合には（ステップＳ４での判断結果がＹＥＳである場合には）、ユーザが蓋部２を開くと同時に、表示部１に、通常モード選択時に表示されるべき情報が表示される（ステップＳ５）。一方、オリジナルモードである場合には（ステップＳ４での判断結果がＮＯである場合には）、ユーザが蓋部２を開くと同時に、表示部１に、オリジナルモード選択時に表示されるべき情報が表示される（ステップＳ６）。なお、ステップＳ６では、ユーザの設定（図９参照）とスイッチのＯＮ順序とに従って、メールモード、メモモードおよびアドレス帳モードのうちの１つのモードの情報が通常モードとして表示部１に表示される。
【００４４】
そして、ユーザは表示部１に表示された情報を参照しつつその他の処理を行う（ステップＳ７）。このステップＳ７は、ユーザが蓋部２を閉じるまで（ステップＳ８での判断結果がＮＯである間は）繰り返し実施される。
【００４５】
その後、ユーザが蓋部２を閉じると（ステップＳ８での判断結果がＹＥＳになると）、電源部７から表示部１への電源をＯＦＦにするための処理が実施され（ステップＳ９）、処理が終了する。即ち、ユーザが蓋部２を閉じると、蓋開閉検出部３を構成する第１スイッチ３ａ、第２スイッチ３ｂ、第３スイッチ３ｃおよび第４スイッチ３ｄが全てＯＦＦ状態になり、電源部７から表示部１への電源がＯＦＦ状態になる。
【００４６】
このように、本発明の携帯情報端末装置によれば、蓋部２の開閉状態を蓋開閉検出部３によって検知することにより、電源をＯＮ状態にするとともに、ユーザが指定したモードの情報を即座に表示することができる。
【００４７】
［実施の形態２］
次に、本発明の携帯情報端末装置の実施の形態２について図面を参照しつつ説明する。
【００４８】
実施の形態１においては、ユーザの登録に従って蓋部２の開方向別に動作モードを割り当ててオープニングモードを決定していたが、本実施の形態２においては、動作モードの使用頻度に従って自動的に蓋部２の開方向別に動作モードを割り当ててオープニングモードを決定している。なお、前述の実施の形態１と本実施の形態２とは、動作モードの割り当て方法のみが異なっており、その他の箇所については同様のものであるので、同様の箇所については詳細な説明を省略する。
【００４９】
図１０は、ユーザが使用した動作モードの履歴の一例を示す表である。
【００５０】
この表は、使用した年月日１６と、使用した動作モードの名称１７の各項目から構成されている。図１０に示すように、例えば、ユーザは、２０００年３月１日にメールモード、スケジュール帳モードおよびメールモードを順次使用し、２０００年３月２日にメールモードを使用し、２０００年３月３日にメモモード、アドレス帳モード、メモモード、アドレス帳モードおよびメールモードを順次使用し、２０００年３月４日にアドレス帳モードを使用し、２０００年３月５日にメールモードおよびアドレス帳モードを順次使用している。
【００５１】
図１１は、本発明の携帯情報端末装置を構成するカウンター部８（図１参照）によって集計された動作モード別の使用回数および使用順位の一例を示す表である。
【００５２】
この表は、使用した動作モードの名称１８と、使用回数１９と、使用順位２０の各項目から構成されている。図１１に示すように、例えば、メールモードは、５回使用された結果、使用順位が第１位（Ｎｏ．１）となっており、メモモードは、２回使用された結果、使用順位が第３位（Ｎｏ．３）となっており、アドレス帳モードは、4 回使用された結果、使用順位が第２位（Ｎｏ．２）となっており、スケジュール帳は、１回使用された結果、使用順位が第４位（Ｎｏ．４）となっている。また、カウンター部８は、ユーザがいずれかの動作モードを利用するたびに、使用した動作モードの使用回数を１ずつ足していき、図１１に示すようなデータを作成している。
【００５３】
図１２は、図１１に示す使用順位に従って蓋部の開方向別に動作モードを割り振る際に用いられる割り振り例を示す表である。
【００５４】
この表は、蓋部の開方向２１と、どの順位の動作モードが割り振られるのかを示す欄（図中では「オープニングモード」と示した）２２の各項目から構成されている。図１２に示すように、例えば、蓋部２を矢印Ｄ１で示す方向に開いた場合には、使用回数第１位の動作モードがオープニングモードとして採用され、蓋部２を矢印Ｄ２で示す方向に開いた場合には、使用回数第２位の動作モードがオープニングモードとして採用され、蓋部２を矢印Ｄ３で示す方向に開いた場合には、使用回数第３位の動作モードがオープニングモードとして採用され、蓋部２を矢印Ｄ４で示す方向に開いた場合には、使用回数第４位の動作モードがオープニングモードとして採用される。
【００５５】
本実施の形態２の携帯情報端末装置によれば、例えば、ユーザが図１０に示すように携帯情報端末装置の動作モードを使用した場合、いずれかの動作モードを使用するたびに使用回数が１ずつ足され、各動作モードの使用順位が決まり、図１１に示すようなデータが得られる。
【００５６】
そして、この使用順位と図１２に示す割り振り例とに従って、蓋部の開方向別に動作モードが割り振られる。即ち、蓋部２を矢印Ｄ１で示す方向に開いた場合にはメールモードがオープニングモードとして採用され、蓋部２を矢印Ｄ２で示す方向に開いた場合にはアドレス帳モードがオープニングモードとして採用され、蓋部２を矢印Ｄ３で示す方向に開いた場合にはメモモードがオープニングモードとして採用され、蓋部２を矢印Ｄ４で示す方向に開いた場合にはスケジュール帳モードがオープニングモードとして採用される。
【００５７】
このように、本実施の形態２の携帯情報端末装置によれば、ユーザの使用する動作モードの使用回数をカウンター部８において自動的にカウントし、各動作モードの使用頻度について順位をつけることにより、ユーザが蓋部２を開くたびに、実際の使用頻度に応じて自動登録されたオープニングモードを、蓋部２の開方向を選択するのみで即座に起動し表示することができる。
【００５８】
［実施の形態３］
次に、本発明の携帯情報端末装置の実施の形態３について図面を参照しつつ説明する。
【００５９】
前述の実施の形態２においては、動作モードの使用頻度に従って蓋部２の開方向別に動作モードを自動的に割り当ててオープニングモードを決定していたが、本実施の形態３の携帯情報端末装置においては、所定の回数以上使用した動作モードをオープニングモードとして使用している。なお、前述の実施の形態１および実施の形態２と本実施の形態３とは、動作モードの割り当て方法（対応付け）のみが異なっており、その他の箇所については同様のものであるので、同様の箇所については詳細な説明を省略する。
【００６０】
図１３は、本発明の携帯情報端末装置を構成するカウンター部８によって集計された動作モード別の使用回数および使用順位、ならびにユーザによって指定された設定値の一例を示す表である。
【００６１】
この表は、使用した動作モードの名称２３と、使用回数２４と、使用順位２５とユーザによって指定された設定値２６の各項目から構成されている。図１３に示すように、例えば、メールモードは、１００回使用された結果、使用順位が第１位になっており、メモモードは、２０回使用された結果、使用順位が第３位になっており、アドレス帳モードは、５０回使用された結果、使用順位が第２位になっており、スケジュール帳は、１０回使用された結果、使用順位が第４位になっている。また、カウンター部８は、ユーザがいずれかの動作モードを利用するたびに、使用した動作モードの使用回数を１ずつ足していき、図１３に示すようなデータを作成している。また、設定値２６は、ユーザが指定した値であり、指定後は記憶部５に格納される。
【００６２】
本実施の形態３の携帯情報端末装置によれば、例えば、ユーザが、設定値を１００と指定した状態で、図１３に示すように携帯情報端末装置の動作モードを使用した場合、いずれかの動作モードを使用するたびに使用回数が１ずつ足され、図１３に示すようなデータが得られる。
【００６３】
そして、メールモードの使用回数が１００回以上になった時点で、オープニングモードとしてメールモードが自動的に選択される。従って、この選択後は、蓋部２を開く方向に依存せず、蓋部２が開状態になったことが蓋開閉検出部３において検知されると、電源がＯＮされるとともに、メールモードが起動し表示される。
【００６４】
このように、本実施の形態３の携帯情報端末装置によれば、ユーザが最も頻繁に使用する動作モードの使用回数が設定回数以上になると、オープニングモードは、ユーザの使用頻度の高い動作モードに自動的に固定され、蓋部２の開く方向に依存せず、蓋部２を開くと同時にユーザの使用頻度の高い動作モードを起動することができる。
【００６５】
［実施の形態４］
次に、本発明の携帯情報端末装置の実施の形態４について図面を参照しつつ説明する。
【００６６】
前述の実施の形態１〜３においては、蓋部２の開方向に従って所定の動作モードを選択的に実施していたが、本実施の形態４の携帯情報端末装置においては、蓋部２の開方向に従って表示方向を自動的に切り替えて、表示部１に情報を表示している。なお、前述の実施の形態１と本実施の形態４とは、蓋部２の開方向に従って切り替える対象が異なっており、その他の箇所については同様のものであるので、同様の箇所については詳細な説明を省略する。
【００６７】
図１４は、図１に示す携帯情報端末装置において実施される、蓋部の開方向に対する表示方向の割り振り例を示す表である。
【００６８】
この表は、蓋部の開方向２７と、回転角度で示す表示方向２８の各項目から構成されている。図１４に示すように、例えば、蓋部２を矢印Ｄ１および矢印Ｄ２で示す方向に開いた場合には、基準方向（０度回転）である縦画面表示（後述の図１５（ａ）参照）となり、蓋部２を矢印Ｄ３および矢印Ｄ４で示す方向に開いた場合には、基準方向から左に９０度回転させた方向（９０度回転）である横画面表示（後述の図１５（ｂ）参照）となる。
【００６９】
図１５は、図１に示す携帯情報端末装置を構成する表示部１に表示される情報の表示方向の切り替え例を示す説明図である。同図（ａ）は、縦画面表示を示す説明図であり、同図（ｂ）は、横画面表示を示す説明図である。
【００７０】
本実施の形態４の携帯情報端末装置によれば、例えば、ユーザが、蓋部２を矢印Ｄ１または矢印Ｄ２で示す方向に開いた場合、装置本体１０の表示部１には情報が縦方向表示される。一方、蓋部２を矢印Ｄ３または矢印Ｄ４で示す方向に開いた場合、装置本体１０の表示部１には情報が横方向表示される。
【００７１】
なお、蓋部２の開方向に対する表示方向の割り振りは上記の例に限定されるものではなく、適宜変更可能である。
【００７２】
このように、本実施の形態の携帯情報端末装置によれば、蓋部２の開方向に従ってユーザにとって操作性が良い方向で表示を行うように表示方向の割り振りが行われることにより、蓋部２の開方向を選択するのみでユーザの使い勝手の良い表示方向で自動的に表示を行うことができる。
【００７３】
本発明の携帯情報端末装置は、本体と、該本体に形成された表示手段と、前記本体に開閉可能に設けられ、閉じられたとき前記表示手段を覆う保護手段と、該保護手段の開方向を検出する開閉検出手段と、開方向別に割り当てられた動作モードを記憶する記憶手段と、前記開閉検出手段により検出された前記保護手段の開方向に基づいて該開方向に対応した動作モードを前記記憶手段から読み出して動作させ、前記動作モードに対応する情報を前記表示手段に表示するように制御する主制御手段とを備えたことを特徴とする。この発明によれば、ユーザの使い勝手に合わせて保護手段の開方向に応じた動作モードでの表示が可能となる。
【００７４】
また、開閉検出手段は、保護手段の開状態を検出すると電源をオンするとともに、保護手段の開方向を検出し、主制御手段は、開閉検出手段の検出した開方向に対応付けられている動作モードを記憶手段から読み出し、表示手段にこの動作モードに対応した情報を表示するものであってもよく、この場合には、保護手段の開方向を選択するのみで所望の動作モードに従った情報を表示できるので、操作性を向上することができる。
【００７５】
また、本発明の携帯情報端末装置は、文字や画像からなる情報の表示を行う表示手段と、この表示手段を覆い隠し保護する開閉自在な保護手段と、この保護手段の開状態を検出すると電源をオンするとともに、保護手段の開方向を検出する開閉検出手段と、電源オン後最初に表示手段に表示される動作モードの使用回数を数えるカウンター手段と、電源オン後最初に表示手段に表示される動作モードを、カウンター手段によって数えられた使用回数の多い順である使用順位に従い、保護手段の開方向に対応付けて複数記憶する記憶手段と、電源オン後、開閉検出手段の検出した開方向に対応付けられている動作モードを記憶手段から読み出し、表示手段にこの動作モードに対応した情報を表示する主制御手段とを備えているといったものであり、この場合には、使用頻度の高い動作モードを保護手段の開方向に対応付けて自動的に割り振ることができるので、操作性を向上することができる。
【００７６】
また、主制御手段は、カウンター手段による任意の動作モードの使用回数のカウント値が所定値以上になると、保護手段がいずれの方向に開かれても、電源オン後最初に表示手段に表示する動作モードを、使用回数が所定値以上になった動作モードに固定するものであってもよく、この場合には、使用頻度の高い動作モードを電源ＯＮ後に最初に表示手段に表示される情報の動作モードとして用いることができるので、操作性を向上することができる。
【００７７】
また、保護手段の開方向に対応付けて、表示部の表示方向が切り替わるものであってもよく、この場合には、ユーザが保護手段の開方向を選択するだけで、表示部の表示方向を切り替えることができるので、操作性を向上することができる。
【図面の簡単な説明】
【図１】本発明の携帯情報端末装置の実施の形態１を示すブロック図である。
【図２】図１に示す携帯情報端末装置の動作の一例を示すフローチャートである。
【図３】図１に示す携帯情報端末装置の外観を示す斜視図である。
【図４】図３に示す携帯情報端末装置の蓋部を拡大して示す斜視図である。
【図５】図３に示す携帯情報端末装置の蓋開閉検出部を示す正面図である。
【図６】図５に示す蓋開閉検出部を拡大して示す側面図である。
【図７】図３に示す蓋部２の開方向に対する動作モードを示す図表である。
【図８】図１に示す情報携帯端末装置を構成する表示部の表示内容の一例を蓋部の開方向別に示す説明図である。
【図９】図３に示す蓋部２の開方向および閉状態に対するスイッチのＯＮ・ＯＦＦ状態を示す図表である。
【図１０】本発明の携帯情報端末装置のユーザが使用した動作モードの履歴の一例を示す図表である。
【図１１】本発明の携帯情報端末装置を構成するカウンター部によって集計された動作モード別の使用回数および使用順位の一例を示す図表である。
【図１２】図１１に示す使用順位に従って蓋部の開方向別に動作モードを割り振る際に用いられる割り振り例を示す図表である。
【図１３】本発明の携帯情報端末装置を構成するカウンター部によって集計された動作モード別の使用回数および使用順位、ならびにユーザによって指定された設定値の一例を示す図表である。
【図１４】図１に示す携帯情報端末装置において実施される、蓋部の開方向に対する表示方向の割り振り例を示す図表である。
【図１５】図１に示す携帯情報端末装置を構成する表示部に表示される情報の表示角度の切り替え例を示す説明図である。
【符号の説明】
１  表示部
２  蓋部
３  蓋開閉検出部
４  入力部
５  記憶部
６  主制御部
７  電源部
８  カウンター部
１０  装置本体
【図１】
0004544794.tif 000002
【図２】
0004544794.tif 000003
【図３】
0004544794.tif 000004
【図４】
0004544794.tif 000005
【図５】
0004544794.tif 000006
【図６】
0004544794.tif 000007
【図７】
0004544794.tif 000008
【図８】
0004544794.tif 000009
【図９】
0004544794.tif 000010
【図１０】
0004544794.tif 000011
【図１１】
0004544794.tif 000012
【図１２】
0004544794.tif 000013
【図１３】
0004544794.tif 000014
【図１４】
0004544794.tif 000015
【図１５】
0004544794.tif 000016